【手続補正書】
【提出日】平成26年1月9日(2014.1.9)
【手続補正１】
【補正対象書類名】特許請求の範囲
【補正対象項目名】全文
【補正方法】変更
【補正の内容】
【特許請求の範囲】
【請求項１】
シード信号の利得媒体を有するレーザー空洞中の第１の光スイッチを提供する工程、
レーザー空洞中の第１の光スイッチを開放することによって、Ｑスイッチパルスレーザーの一時的な形状を有するパルスシード信号を生成する工程であって、パルスシード信号は、誘導ブリユアン散乱（ＳＢＳ）を回避するのに充分なほどパルスシード信号をスペクトル的に広くする複数の縦のレイジングモードを有する、工程、
第２の光学的ポンプソースを有する光学的利得ファイバーを提供する工程、および、
少なくとも１ミリジュール（１ｍＪ）の電力を有する出力ビームパルスを得るために、前記光学的利得ファイバー内でＱスイッチパルスレーザーシード信号を増幅する工程、
を含んでなる方法。
【請求項２】
光スイッチは、第１の側に第１ポートを含むＭのポート、および、第２の側に第２ポートと第３ポートを含むＮのポートを有する少なくとも１つの電気的に制御されたＭｘＮのポート光スイッチを含み、Ｎは１以上の整数であり、Ｍは少なくとも１つの整数であり、利得媒体は、光ファイバー利得媒体を含み、
前記方法は、
ポンプ光を結合させる工程であって、ポンプ光が第２の側のＮのポートの１つに入り、第１の光スイッチを介して第２の側を出て、レイジング出力が望ましくない間に利得媒体の第１の端部に入る、工程をさらに含み、光スイッチの開放により、光スイッチは、Ｑスイッチシード信号を発生させる間に、シード信号の利得媒体からポンプ光を分離させるように切り替わる、ことを特徴とする請求項１に記載の方法。
【請求項３】
レーザー空洞は、単一方向の光ファイバーリング空洞であり、前記Ｑスイッチパルスレーザーの一時的形状を有するパルスシード信号を生成する工程は、単一方向の光ファイバーリング空洞内で、シード信号を光学的に振幅変調する工程を含む、ことを特徴とする請求項１または２に記載の方法。
【請求項４】
レーザー空洞は、全ファイバー空洞であり、前記Ｑスイッチパルスレーザーの一時的形状を有するパルスシード信号を生成する工程は、全ファイバー空洞内で、光学スイッチでシード信号を光学的に振幅変調する工程を含む、ことを特徴とする請求項１乃至３のいずれかに記載の方法。
【請求項５】
前記Ｑスイッチパルスレーザーのシード信号を増幅させる工程は、少なくとも４ミリジュール（ｍＪ）の電力で出力ビームパルスを出力する工程を含む、ことを特徴とする請求項１乃至４のいずれかに記載の方法。
【請求項６】
前記シード信号は、ＳＢＳ問題を減らすために、少なくとも１テラヘルツの輝線幅を有する、ことを特徴とする請求項１乃至５のいずれかに記載の方法。
【請求項７】
筐体を有する輸送手段を提供する工程、
電力を供給する工程、
前記電力を使用し、前記光学的ポンプソースを制御して、前記光学的ポンプソースに電力を供給する工程、および、
前記輸送手段に対する複数の異なる可能な方向の一つに前記出力ビームの出力方向を制御する工程をさらに含む、ことを特徴とする請求項１乃至６のいずれかに記載の方法。
【請求項８】
レイジング空洞、レイジング空洞中の光スイッチ、レイジング空洞にポンプ光を供給するために結合された第１の光学的ポンプソースを有するＱスイッチシードレーザーであって、誘導ブリユアン散乱（ＳＢＳ）を防ぐのに十分なほどパルスシード信号をスペクトル的に広くする複数の縦のレーザーモードを有するＱスイッチパルスレーザーのシード信号を出力するように構成された、Ｑスイッチシードレーザーと、
第２の光学的ポンプソースを有し、前記Ｑスイッチシードレーザーからの光を受信するように動作可能に結合された光学的利得ファイバーであって、少なくとも１ミリジュール（１ｍＪ）の電力を有する出力ビームを得るために前記光学的利得ファイバーにおいてＱスイッチパルスレーザーのシード信号を増幅するように動作可能に構成されてなる、光学的利得ファイバーを備えることを特徴とする装置。
【請求項９】
光スイッチは、一方向リング空洞内で信号を振幅変調するように動作可能に構成された光学的振幅変調素子を含む、ことを特徴とする請求項８に記載の装置。
【請求項１０】
前記Ｑスイッチシードレーザーは、せいぜい６ｃｍ３の容積を有する単一のパッケージ内で実施される、ことを特徴とする請求項８または９に記載の装置。
【請求項１１】
出力ビームパルスは少なくとも４ミリジュールの電力を有する、ことを特徴とする請求項８乃至１０のいずれかに記載の装置。
【請求項１２】
ＳＢＳ問題を減らすために、シード信号は、少なくとも１テラヘルツ（ＴＨｚ）の輝線幅を有する請求項８乃至１１のいずれかに記載の装置。
【請求項１３】
筺体を有する輸送手段と、
前記輸送手段に取り付けられた電源と、
前記電源から電力を受け取るように動作可能に結合され、前記第１のポンプソースに動作可能に結合されたレーザー制御器と、
前記光学的利得ファイバーからの出力ビームを受け取るように動作可能に結合され、前記輸送手段に対する複数の異なる可能な方向のうちの１つに前記出力ビームを向けるように動作可能であるビーム方向制御器、とをさらに備えてなる、ことを特徴とする請求項８乃至１２のいずれかに記載の装置。
【請求項１４】
Ｑスイッチレーザーはレイジング空洞内に利得媒体を含み、光スイッチは、レイジング空洞内のＱスイッチとして１ｘＮの電気的に制御された光スイッチを含み、光スイッチは、第１の光学的ポンプソースから利得媒体への光を光学的に結合し、同時に空洞内での信号レイジングを阻止する第１の状態と、前記空洞内で信号レイジングを許す第２の状態を含む複数の状態を有する、ことを特徴とする請求項８乃至１３のいずれかに記載の装置。
【請求項１５】
Ｑシード信号パルスの少なくとも前縁について、Ｑスイッチ・レーザーパルスの前縁の一時的な形状と実質的に一致する一時的な形状を有するＱシード信号パルスを出力するように構成された光源を有するパルスＱシードソース、および、
第１のポンプソースを有し、パルスＱシードソースに動作可能に結合された光学的利得ファイバーであって、少なくとも１ミリジュール（１ｍＪ）のエネルギーを有する出力ビームを得るために、光学的利得ファイバー内でＱシード信号パルスを増幅するように構成された光学的利得ファイバーを備えてなる装置。
【請求項１６】
筐体を有する輸送手段、
前記輸送手段に取り付けられた電源、
前記電源から電力を受け取るように動作可能に結合され、前記第１のポンプソースに動力を供給し、かつ前記第１のポンプソースを制御するように動作可能に結合されたレーザー制御器、および
前記光学的利得ファイバーからの前記出力ビームを受け取るように動作可能に結合され、前記輸送手段に対する複数の異なる方向の１つに前記出力ビームを向けるように動作可能であるビーム方向制御器をさらに備える、ことを特徴とする請求項１５記載の装置。
【請求項１７】
パルスシードソースは、電気的パルスによって駆動される半導体ダイオードレーザーを含み、当該電気的パルスが、半導体ダイオードレーザーに、Ｑスイッチ・レーザーパルスの前縁の一時的形状と実質的に一致するシードパルスの前縁を有するパルスを放射させる、ことを特徴とする請求項１５記載の装置。
【請求項１８】
前記パルスシードソースは半導体ダイオードレーザーを含み、当該半導体レーザーダイオードが電気的パルスによって駆動される電気−光学変調素子（ＥＯＭ）を介して結合される連続波（ＣＷ）レーザー信号を出力し、前記電気的パルスが前記電気−光学変調素子に前記ＣＷレーザー信号から振幅変調されたパルスを放射させ、当該振幅変調されたパルスがＱスイッチ・レーザーパルスの前縁の一時的形状と実質的に一致するシードパルスの前縁を有する、ことを特徴とする請求項１５記載の装置。
【請求項１９】
前記パルスシードソースは半導体ダイオードレーザーを含み、当該半導体レーザーが電気的パルスによって駆動される音響−光学変調器（ＡＯＭ）を介して結合されるＣＷレーザー信号を出力し、前記電気的パルスが前記音響−光学変調器に前記ＣＷレーザー信号から振幅変調されたパルスを放射させ、当該振幅変調されたパルスがＱスイッチ・レーザーパルスの前縁の一時的形状と実質的に一致するシードパルスの前縁を有する、ことを特徴とする請求項１５記載の装置。
【請求項２０】
前記シード信号は、ＳＢＳ問題を減らすために、少なくとも１テラヘルツ（ＴＨｚ）の輝線幅を有する、ことを特徴とする請求項１５記載の装置。
【請求項２１】
前記パルスＱシードソースがＱスイッチレーザーを含み、当該Ｑスイッチレーザーがレイジング空洞内の利得媒体と、光学的ポンプソースと、前記空洞内のＱスイッチとして１ｘＮの電気的に制御された光スイッチとを含み、前記光スイッチが光学的ポンプソースから前記利得媒体への光を光学的に結合し、同時に前記空洞内での信号レイジングを阻止する第１の状態と、前記空洞内で信号レイジングを許す第２の状態を含む、ことを特徴とする請求項１５記載の装置。
【請求項２２】
レイジング空洞内の利得媒体と、光学的ポンプソースと、前記空洞内のＱスイッチとして１ｘＮの電気的に制御された光スイッチとを含む装置であって、前記光スイッチが光学的ポンプソースから前記利得媒体への光を光学的に結合し、同時に前記空洞内での信号レイジングを阻止する第１の状態と、前記空洞内で信号レイジングを許す第２の状態を含む複数の状態を有するＱスイッチレーザーを備える、ことを特徴とする装置。
【請求項２３】
１ｘＮの光スイッチは、１ｘ２の電気的に制御された光スイッチである、ことを特徴とする請求項２２記載の装置。
【請求項２４】
１ｘＮの光スイッチは、１ｘ３の電気的に制御された光スイッチである、ことを特徴とする請求項２２記載の装置。
【請求項２５】
第２の光学的ポンプソースを有する光学的利得ファイバーと、
Ｑスイッチパルスレーザーの一時的形状を有するシード信号を生成する手段と、
少なくとも１ミリジュール（１ｍＪ）の電力を有する出力ビームを得るために、前記光学的利得ファイバーにおける前記Ｑスイッチパルスレーザーシード信号を増幅する手段を備える、ことを特徴とする装置。
【請求項２６】
筐体を有する輸送手段と、
前記光学的ポンプソースを制御し、前記光学的ポンプソースに動力を供給する手段と、
前記輸送手段に対する複数の異なる可能な方向の１つに前記出力ビームの出力方向を制御する手段をさらに備える、ことを特徴とする請求項２５記載の装置。
【請求項２７】
シード信号を生成する手段は、一方向リング空洞内で信号を光学的に振幅変調する手段を含む、ことを特徴とする請求項２５記載の装置。
【請求項２８】
シード信号を生成する手段は、空洞内で信号を光学的に振幅変調する手段を含み、当該手段が、せいぜい６ｃｍ３の容積を有する単一のパッケージ内で実施される、ことを特徴とする請求項２５記載の装置。
【請求項２９】
シード信号を生成する手段は、光学パルスを生成する手段を含み、当該手段が、せいぜい５０ナノ秒の全幅半値（ＦＷＨＭ）の持続時間を有する、ことを特徴とする請求項２５記載の装置。
【請求項３０】
Ｑスイッチパルスレーザー信号を増幅する手段は、少なくとも４ｍＪの電力をもつ出力ビームパルスを出力する手段を有する、ことを特徴とする請求項２５記載の装置。
【請求項３１】
シード信号を生成する手段は、ＳＢＳ問題を減らすために、少なくとも１テラヘルツ（ＴＨｚ）の輝線幅をもつシード信号を生成する、ことを特徴とする請求項２５記載の装置。